(57)【要約】      （修正有）【課題】コンポーネントの様々な組合せが可能なモジュラー型装用可能装置を提供する。【解決手段】スマートネックレス１００は、近位コネクタと、データを受信又は出力できる、近位コネクタに電気的に結合されたコンポーネントを有する第１ポッドと、近位コネクタと、データを受信又は出力できる、近位コネクタに電気的に結合されたコンポーネントを有する第２ポッドを含む。また、第１ポッドの近位コネクタに着脱自在に、回動自在に、電気的に結合された第１コネクタと、第２ポッドの近位コネクタに着脱自在に、回動自在に、電気的に結合されるように構成された第２コネクタと、を有する湾曲したメインユニット１０２を含む。メインユニットは、第１又は第２ポッドのうちの少なくとも１つからデータを受信し、そのデータに基づいて出力データを判定し、且つ、第１又は第２ポッドを介してデータを出力するためのモバイルプロセッサ１０６を含む。【選択図】図１
2017063407.tif 000002
【特許請求の範囲】
【請求項１】
モジュラー型スマートネックレスであって、
外側ケーシングと、前記外側ケーシングに機械的に結合された近位コネクタと、前記近位コネクタに電気的に結合されると共に入力データの受信又はデータの出力のうちの少なくとも１つを実行するように構成された第１コンポーネントと、を有する第１ポッドと、
外側ケーシングと、前記外側ケーシングに機械的に結合された近位コネクタと、前記近位コネクタに電気的に結合されると共に入力データの受信又はデータの出力のうちの１つを実行するように構成された第２コンポーネントと、を有する第２ポッドと、
メインユニットと、
を有し、
前記メインユニットは、
曲がりを有する外側ケーシングと、
前記外側ケーシングに結合されると共に、前記第１ポッドの前記近位コネクタに着脱自在に、回動自在に、且つ、電気的に結合されるように構成された第１コネクタと、
前記メインユニットの前記外側ケーシングが首の背面上において休止することが可能であり、且つ、前記第１コネクタの前記外側ケーシング及び前記第２コネクタの前記外側ケーションが、それぞれ、肩を中心として回転しうるように、前記外側ケーシングに結合されると共に、前記第２ポッドの前記近位コネクタに着脱自在に、回動自在に、且つ、電気的に結合されるように構成された第２コネクタと、
前記第１コンポーネント及び前記第２コンポーネントに電力を提供するための電池と、
前記第１コネクタ及び前記第２コネクタに電気的に結合されると共に、前記第１ポッド又は前記第２ポッドのうちの少なくとも１つから前記入力データを受信し、前記受信された入力データに基づいて出力データを判定し、且つ、前記第１ポッド又は前記第２ポッドのうちの少なくとも１つを介して前記出力データを出力するように構成されたモバイルプロセッサと、を有する、モジュラー型スマートネックレス。
【請求項２】
請求項１に記載のモジュラー型スマートネックレスであって、
外側ケーシング及び前記外側ケーシングに機械的に結合された近位コネクタを有する第３ポットと、外側ケーシング及び前記外側ケーシングに結合された近位コネクタを有する第４ポッドと、を更に有し、且つ、前記第１ポッドは、前記第３ポッドの前記近位コネクタに着脱自在に且つ電気的に結合されるように構成された遠位コネクタを更に含み、且つ、前記第２ポッドは、前記第４ポッドの前記近位コネクタに着脱自在に且つ電気的に結合されるように構成された遠位コネクタを更に含む、モジュラー型スマートネックレス。
【請求項３】
請求項２に記載のモジュラー型スマートネックレスであって、
前記第３ポッドの前記外側ケーシング及び前記第４ポッドの前記外側ケーシングは、それぞれ、前記肩又は胸に跨って下方に延在するように構成されている、モジュラー型スマートネックレス。
【請求項４】
請求項２に記載のモジュラー型スマートネックレスであって、
前記第３ポッドは、前記近位コネクタに電気的に結合された第３コンポーネントを更に含み、且つ、前記第４ポッドは、前記近位コネクタに電気的に結合された第４コンポーネントを更に含み、且つ、前記メインユニットの前記モバイルプロセッサは、パススルー通信プロトコルを介して、前記第１コンポーネント、前記第２コンポーネント、前記第３コンポーネント、及び前記第４コンポーネントのそれぞれと通信するように構成されている、モジュラー型スマートネックレス。
【請求項５】
請求項１に記載のモジュラー型スマートネックレスであって、
外側ケーシングと、前記メインユニットの前記第１コネクタに着脱自在に且つ電気的に結合されるように構成された近位コネクタと、前記近位コネクタに電気的に接続されると共に前記第１ポッドの前記近位コネクタに着脱自在に且つ電気的に結合されるように構成された遠位コネクタと、を有するスペーサポッドを更に有する、モジュラー型スマートネックレス。
【請求項６】
請求項５に記載のモジュラー型スマートネックレスであって、
前記スペーサポッドの前記外側ケーシングは、身体の外形にフィットするように折れ曲がるべく、曲がりやすい、モジュラー型スマートネックレス。
【請求項７】
請求項１に記載のモジュラー型スマートネックレスであって、
外側ケーシングと、前記外側ケーシングに機械的に結合された近位コネクタと、を有する第３ポッドを更に有し、且つ、前記メインユニットは、前記外側ケーシングに結合され、前記メインユニットの前記第１コネクタと前記第２コネクタの間において位置決めされ、且つ、前記メインユニットの前記第３コネクタに結合された際に前記第３ポッドが背面を下方に延在しうるように、前記第３ポッドの前記近位コネクタに着脱自在に且つ電気的に結合されるべく構成された第３コネクタを更に含む、モジュラー型スマートネックレス。
【請求項８】
請求項１に記載のモジュラー型スマートネックレスであって、
前記第１ポッド又は前記第２ポッドのうちの少なくとも１つは、画像データを検出するように構成されたカメラを含むカメラポッド、データを出力するように構成された振動ユニット、スピーカ、又はディスプレイのうちの少なくとも１つを含む出力ポッド、オーディオデータを検出するように構成されたマイクロフォンを含むマイクロフォンポッド、ネットワークを介して第２装置と通信するように構成されたネットワークアクセス装置を含むネットワーク通信ポッド、場所データを検出するように構成されたＧＰＳユニットを含むＧＰＳポッド、加速度を検出するように構成された加速度計を含む加速度計ポッド、電力を保存するように構成された電池を含む電池ポッド、太陽光を電力に変換するように構成された少なくとも１つの太陽電池を含む太陽ポッド、運動エネルギーを電力に変換するように構成された運動−電力変換器を含む運動ポッド、心拍数を検出するように構成された心拍数センサ及び呼吸数を検出するように構成された呼吸センサのうちの少なくとも１つを含む健康ポッド、緊急事態情報を表示又は出力するように構成されたディスプレイ又は機械可読出力装置のうちの少なくとも１つを含む緊急事態表示ポッド、警報を緊急事態連絡先に送信するように構成されたネットワークアクセス装置又はポッドプロセッサのうちの少なくとも１つを含む警報ポッド、名前を表示するように構成されたディスプレイを含む名前ポッド、前記カメラポッド及び前記出力ポッドを介して第三者との通信を許容するように構成されたネットワークアクセス装置又はポッドプロセッサのうちの少なくとも１つを含むテレプレゼンスポッド、リモート装置に接続するように構成されたＵＳＢコネクタと、前記ＵＳＢコネクタに電気的に結合されると共にデータを保存するように構成されたメモリと、を含むＵＳＢポッド、入力を受け取るように構成された入力装置と、前記入力の受取りに応答してデータを保存するように構成されたメモリと、を含むレコーダポッド、メッセージを保存するように構成されたメモリと、前記メッセージを出力するように構成された第２出力装置又は出力するべく前記メッセージを別のポッドに送信するように構成されたポッドプロセッサのうちの少なくとも１つと、を含む重要なその他のポッド、リモート装置を遠隔制御するように構成されたスマートキー装置を含むスマートキーポッド、ビーコンを送信するように構成された着脱自在のタグと、ビーコンを検出するように構成された読取器装置と、を含むタグポッド、点字フォーマットにおいてデータを出力するように構成されたリフレッシュ可能な点字ディスプレイを含む点字ポッド、又は入力データを受け取るように構成された少なくとも１つのボタンを含むボタンポッドである、モジュラー型スマートネックレス。
【請求項９】
請求項１に記載のモジュラー型スマートネックレスであって、
前記第１ポッドは、前記第１コンポーネント及び前記メインユニットの前記モバイルプロセッサに電気的に結合されると共に、前記第１コンポーネントと前記メインユニットの前記モバイルプロセッサの間においてデータを変換するよう構成されたポッドプロセッサを更に含む、モジュラー型スマートネックレス。
【請求項１０】
請求項１に記載のモジュラー型スマートネックレスであって、
外側ケーシングと、前記メインユニット又は別のポッドに着脱自在に且つ電気的に結合されるように構成された第１コネクタと、生体計測情報を検出するように構成された生体計測センサと、を有する生体計測セキュリティポッドを更に有し、且つ、前記メインユニットは、前記モジュラー型スマートネックレスの認可されたユーザーに対応した認可された生体計測値を保存するように構成されたメモリを更に含み、且つ、前記メインユニットの前記モバイルプロセッサは、前記検出された生体計測情報が前記保存されている認可された生体計測値とマッチングするかどうかに基づいて、ユーザーによる前記メインユニットとのやり取りを許容するかどうかを判定するように構成されている、モジュラー型スマートネックレス。
【請求項１１】
請求項１０に記載のモジュラー型スマートネックレスであって、前記メインユニットの前記モバイルプロセッサは、前記生体計測セキュリティポッドが前記メインユニットに電気的に結合されていない際に、ユーザーによる前記メインユニットとのやり取りを防止するように更に構成されている、モジュラー型スマートネックレス。
【請求項１２】
請求項１に記載のモジュラー型スマートネックレスであって、
それぞれが、画像データを検出するように構成されたカメラを含むと共に、前記メインユニットに電気的に結合された近位コネクタを含む、少なくとも２つのカメラポッドを更に有し、前記メインユニットの前記モバイルプロセッサは、前記少なくとも２つのカメラポッドからの検出された画像データに基づいて、距離情報を含むステレオ画像データを判定するように構成されている、モジュラー型スマートネックレス。
【請求項１３】
請求項１に記載のモジュラー型スマートネックレスであって、
前記第１ポッドの前記近位コネクタ又は前記メインユニットの前記第１コネクタのうちの一方は、前記外側ケーシングに回動自在に接続され、且つ、曲がりやすいケーブルを介して前記外側ケーシングに電気的に接続され、且つ、前記曲がりやすいケーブルに電気的に接続された少なくとも１つのソケットと、第１物理的接続特徴と、を含むレセプタクルを含み、且つ、前記第１ポッドの前記近位コネクタ又は前記メインユニットの前記第１コネクタの他方は、前記第１物理的接続特徴に着脱自在に接続されるように構成された第２物理的接続特徴と、前記第２物理的接続特徴が前記第１物理的接続特徴に接続された際に、前記少なくとも１つのソケットによって受け入れられ、且つ、これに電気的に接続されるように構成された少なくとも１つのピンと、を含むプラグを含む、モジュラー型スマートネックレス。
【請求項１４】
モジュラー型スマートネックレスであって、
外側ケーシングと、前記外側ケーシングに機械的に結合された遠位コネクタと、前記外側ケーシングに機械的に結合された近位コネクタと、前記近位コネクタに電気的に結合されると共に画像データを検出するように構成されたカメラと、を有するカメラポッドと、
外側ケーシングと、前記外側ケーシングに機械的に結合された遠位コネクタと、前記外側ケーシングに機械的に結合された近位コネクタと、加速度を検出するように構成された加速度計と、を有する加速度計ポッドと、
外側ケーシングと、前記外側ケーシングに機械的に結合された遠位コネクタと、前記外側ケーシングに機械的に結合された近位コネクタと、データを出力するように構成されると共に前記近位コネクタに電気的に結合されたスピーカ又は振動ユニットのうちの少なくとも１つと、を有する出力ポッドであって、前記カメラポッド、前記加速度計ポッド、又は前記出力ポッドのうちの１つのポッドの前記近位コネクタは、前記カメラポッド、前記加速度計ポッド、又は前記出力ポッドのうちの別のポッドの前記遠位コネクタに結合されている、出力ポッドと、
メインユニットと、
を有し、
前記メインユニットは、
曲がりを有する外側ケーシングと、
前記外側ケーシングに結合されると共に、前記カメラポッド、前記加速度計ポッド、又は前記出力ポッドのうちの１つのポッドの前記近位コネクタに着脱自在に、回動自在に、且つ、電気的に結合されるように構成された第１コネクタと、
前記メインユニットの前記外側ケーシングが、首の背面上において休止することが可能であり、且つ、前記第１コネクタ及び前記第２コネクタに結合された前記ポッドのそれぞれのポッドの前記外側ケーシングが、それぞれ、肩の湾曲に伴って回転することが可能であり、且つ、前記メインユニットに直接的に結合されていない前記カメラポッド、前記加速度計ポッド、又は前記出力ポッドのうちの１つのポッドの前記外側ケーシングが、前記メインユニットに直接的に結合された前記カメラポッド、前記加速度計ポッド、又は前記出力ポッドのうちの２つのポッドよりも、胸又は前記肩に跨って下方に更に遠く延在しうるように、前記外側ケーシングに結合され、且つ、前記カメラポッド、前記加速度計ポッド、又は前記出力ポッドのうちの１つのポッドの前記近位コネクタに着脱自在に、回動自在に、且つ電気的に結合されるように構成された第２コネクタと、
前記カメラと、前記スピーカ又は前記振動ユニットのうちの少なくとも１つと、に電力を提供するための電池と、
マップデータ又はオブジェクトデータのうちの少なくとも１つを保存するように構成された一時的ではないメモリと、
前記第１コネクタ及び前記第２コネクタに電気的に結合されると共に、前記検出された画像データ及び前記検出された加速度を受け取り、前記画像データ及び前記加速度に基づいて出力を判定し、且つ、前記出力データを出力するように前記振動ユニット又は前記スピーカのうちの少なくとも１つに命令するべく構成されたプロセッサと、
を有する、モジュラー型スマートネックレス。
【請求項１５】
請求項１４に記載のモジュラー型スマートネックレスであって、
前記出力データは、前記検出された画像データに基づいたオブジェクト識別データ又は前記検出された画像データ及び前記検出された加速度に基づいたナビゲーションデータのうちの少なくとも１つを含む、モジュラー型スマートネックレス。
【請求項１６】
請求項１４に記載のモジュラー型スマートネックレスであって、
オーディオデータを検出するように構成されたマイクロフォンを含むマイクロフォンポッド、ネットワークを介して第２装置と通信するように構成されたネットワークアクセス装置を含むネットワーク通信ポッド、場所データを検出するように構成されたＧＰＳユニットを含むＧＰＳポッド、電力を保存するように構成された電池を含む電池ポッド、太陽エネルギーを電力に変換するように構成された少なくとも１つの太陽電池を含む太陽ポッド、運動エネルギーを電力に変換するように構成された運動−電力変換器を含む運動ポッド、心拍数を検出するように構成された心拍数センサ又は呼吸数を検出するように構成された呼吸センサのうちの少なくとも１つを含む健康パッド、緊急事態情報を表示又は出力するように構成されたディスプレイ又は機械可読出力装置のうちの少なくとも１つを含む緊急事態表示ポッド、警報を緊急事態連絡先に送信するように構成されたネットワークアクセス装置又はポッドプロセッサのうちの少なくとも１つを含む警報ポッド、名前を表示するように構成されたディスプレイを含む名前ポッド、前記カメラポッド及び前記出力ポッドを介して第三者との通信を許容するように構成されたネットワークアクセス装置又はポッドプロセッサのうちの少なくとも１つを含むテレプレゼンスポッド、リモート装置に接続するように構成されたＵＳＢコネクタと、前記ＵＳＢコネクタに電気的に結合されると共にデータを保存するように構成されたメモリと、を含むＵＳＢポッド、入力を受け取るように構成された入力装置と、前記入力の受取りに応答してデータを保存するように構成されたメモリと、を含むレコーダポッド、メッセージを保存するように構成されたメモリと、前記メッセージを出力するように構成された第２出力装置又は出力するべく前記メッセージを別のポッドに送信するように構成されたポッドプロセッサのうちの少なくとも１つと、を含む重要なその他のポッド、リモート装置を遠隔制御するように構成されたスマートキー装置を含むスマートキーポッド、ビーコンを送信するように構成された着脱自在のタグと、ビーコンを検出するように構成された読取器装置と、を含むタグポッド、点字フォーマットにおいてデータを出力するように構成されたリフレッシュ可能な点字ディスプレイを含む点字ポッド、又は入力データを受け取るように構成された少なくとも１つのボタンを含むボタンポッドのうちの少なくとも１つを更に有する、モジュラー型スマートネックレス。
【請求項１７】
請求項１４に記載のモジュラー型スマートネックレスであって、
外側ケーシングと、前記メインユニット又は別のポッドに着脱自在に且つ電気的に結合されると共に生体計測情報を検出するように構成された生体計測センサを有する第１コネクタと、を有する生体計測セキュリティポッドを更に有し、且つ、前記メインユニットは、前記モジュラー型スマートネックレスの認可されたユーザーに対応した認可された生体計測値を保存するように構成されたメモリを更に含み、且つ、前記メインユニットの前記プロセッサは、前記検出された生体計測情報が前記保存されている認可された生体計測値とマッチングするかどうかに基づいて、ユーザーによる前記メインユニットとのやり取りを許容するかどうかを判定するように構成されている、モジュラー型スマートネックレス。
【請求項１８】
請求項１４に記載のモジュラー型スマートネックレスであって、
更なる画像データを検出するように構成された第２カメラと、前記メインユニットに電気的に結合された近位コネクタと、を含む第２カメラポッドを更に有し、前記メインユニットの前記プロセッサは、前記カメラポッド及び前記第２カメラポッドからの前記検出された画像データに基づいて、距離情報を含むステレオ画像データを判定するように構成されている、モジュラー型スマートネックレス。
【請求項１９】
請求項１４に記載のモジュラー型スマートネックレスであって、
前記カメラポッドの前記近位コネクタ又は前記メインユニットの前記第１コネクタのうちの一方は、前記外側ケーシングに回動自在に接続され、曲がりやすいケーブルを介して前記外側ケーシングに電気的に接続され、且つ、前記曲がりやすいケーブルに電気的に接続された少なくとも１つのソケットと、第１物理的接続特徴と、を含むレセプタクルを含み、且つ、
前記カメラポッドの前記近位コネクタ又は前記メインユニットの前記第１コネクタのうちの他方は、前記第１物理的接続特徴に着脱自在に接続されるように構成された第２物理的接続特徴と、前記第２物理的接続特徴が前記第１物理的接続特徴に接続された際に、前記少なくとも１つのソケットによって受け入れられ、且つ、これに電気的に接続されるように構成された少なくとも１つのピンと、を含むプラグを含む、モジュラー型スマートネックレス。
【請求項２０】
第１コネクタ、第２コネクタ、及びプロセッサを有するモジュラー型スマートネックレスのメインユニットと共に使用されるキットであって、キットは、外側ケーシング、遠位コネクタ、及び前記メインユニットの前記第１コネクタ又は別のポッドの遠位コネクタのうちの少なくとも１つに機械的に且つ電気的に結合されるように構成された近位コネクタをそれぞれが有する複数のポッドを有し、前記キットは、
前記近位コネクタに電気的に結合されると共に画像データを検出するように構成されたカメラを有するカメラポッド、
前記近位コネクタに電気的に結合されると共に加速度を検出するように構成された加速度計を有する加速度計ポッド、
前記近位コネクタに電気的に結合されると共に前記メインユニットの前記プロセッサから受信されたデータを出力するように構成されたスピーカ又は振動ユニットのうちの少なくとも１つを有する出力ポッド、及び、
前記近位コネクタに電気的に結合されると共に前記カメラポッド及び出力ポッドを介して第三者との通信を許容するように構成されたネットワークアクセス装置又はポッドプロセッサのうちの少なくとも１つを含むテレプレゼンスポッド、
を含む盲人キットと、
前記カメラポッド、
前記加速度ポッド、
前記出力ポッド、及び、
前記近位コネクタに電気的に結合されると共に場所データを検出するように構成されたＧＰＳユニットを含むＧＰＳポッド、
を含むナビゲーションキットと、
前記加速度計ポッド、
心拍数又は呼吸数を検出するように構成された心拍数センサ又は呼吸センサのうちの少なくとも１つを有する健康ポッド、及び、
前記近位コネクタに電気的に結合されると共に運動力を電力に変換するように構成された運動−電力変換器を含む運動ポッド、
を含むエクササイズキットと、
前記出力ポッド、
前記カメラポッド、
前記近位コネクタに電気的に結合されると共にネットワークを介して第２装置と通信するように構成されたネットワークアクセス装置を含むネットワーク通信ポッド、及び、
入力を受け取るように構成された入力装置と、前記入力の受取りに応答して前記画像データを保存するように構成されメモリと、含むレコーダポッド、
を含むスポーツイベントキットと、
のうちの少なくとも１つである、キット。
【発明の詳細な説明】
【技術分野】
【０００１】
本開示は、入力の受信、データの検出、データの出力、電力の保存、有線通信、及び無線通信用のコンポーネントの様々な組合せを含みうるモジュラー型装用可能装置に関する。
【背景技術】
【０００２】
装用可能なスマート装置が市場に登場している。これらの装用可能なスマート装置は、眼鏡又はその他の装用可能物品に類似しうるものであり、且つ、これらは、通常、処理及びメモリコンポーネント、入力コンポーネント、及び出力コンポーネントなどのスマート型携帯電話機（スマートフォン）に類似したコンポーネントを含んでいる。スマートフォンと同様に、装用可能なスマート装置は、通常、設計チームによって予め選択されたコンポーネントを有する相対的に数の少ない予め組み立てられたベースパッケージにおいて提供されている。これらの装用可能なスマート装置のコンポーネントが陳腐化すると共に／又は、更に良好な技術が利用可能となった際には、ユーザーは、新しいコンポーネントによって古いコンポーネントを単純に取り換えることができず、むしろ、ユーザーは、新しいコンポーネントを含む完全に新しい装置を購入しなければならない。従って、費用が、手が出ないほどに又は望ましくないほどに、高価になりうることから、多くの消費者は、新しいバージョンの提供に伴って新しい装用可能なスマート装置にアップグレードすることをしない。装用可能なスマート装置のこれらの新しいバージョンに継続的にアップグレードする消費者は、相対的に大きな費用に起因し、大きな経済的負担に晒されうる。
【０００３】
装用可能なスマート装置のコンポーネントは、通常、装用可能なスマート装置と一体化されており、その結果、特定のコンポーネントの交換が、どんなによい場合でも、相対的に困難である。従って、コアコンポーネント（即ち、カメラ又はスピーカ）が壊れた場合に、ユーザーは、壊れたコンポーネントを単純に交換することができず、むしろ、ユーザーは、動作するコンポーネントを得るべく、新しい装用可能なスマート装置を購入しなければならない。
【０００４】
装用可能なスマート装置の基準価格は、多数のコンポーネントの包含に少なくとも部分的に起因し、相対的に高価になりうる。通常の消費者は、提供されたコンポーネントのすべてを使用するわけではなく、従って、彼らは、自身が絶対に使用しない可能性が高いコンポーネントに対して余分なお金を支払っている。例えば、盲人は、装用可能なスマート装置が有益であると見出しうるが、装用可能なスマート装置に大きな費用を追加する可視ディスプレイは、盲人には役に立たないであろう。
【発明の概要】
【発明が解決しようとする課題】
【０００５】
従って、カスタマイズ可能であると共に容易に修理可能な装用可能なスマート装置に対するニーズが存在している。
【課題を解決するための手段】
【０００６】
モジュラー型スマートネックレスについて記述されている。モジュラー型スマートネックレスは、外側ケーシングと、外側ケーシングに機械的に結合された近位コネクタと、近位コネクタに電気的に結合された第１コンポーネントと、を有する第１ポッドを含む。第１コンポーネントは、入力データの受信又はデータの出力のうちの少なくとも１つを実行することができる。又、モジュラー型スマートネックレスは、外側ケーシングと、外側ケーシングに機械的に結合された近位コネクタと、近位コネクタに電気的に結合された第２コンポーネントと、を有する第２ポッドをも含む。第２コンポーネントは、入力データの受信又はデータの出力のうちの少なくとも１つを実行することができる。又、モジュラー型スマートネックレスは、曲がりを有する外側ケーシングを有するメインユニットをも含む。又、メインユニットは、外側ケーシングに結合されると共に、着脱自在に、回動自在に、且つ、電気的に第１ポットの近位コネクタに結合されるように構成された第１コネクタをも含む。又、メインユニットは、外側ケーシングに結合されると共に、着脱自在に、回動自在に、且つ電気的に第２ポッドの近位コネクタに結合されるように構成された第２コネクタをも含む。メインユニットの外側ケーシングは、首の背面上において休止することが可能であり、且つ、第１コネクタの外側ケーシング及び第２コネクタの外側ケーシングは、それぞれ、肩を中心として回転することができる。又、メインユニットは、第１コンポーネント及び第２コンポーネントに電力を提供するための電池をも含む。又、メインユニットは、第１コネクタ及び第２コネクタに電気的に結合されたモバイルプロセッサをも含む。モバイルプロセッサは、第１ポッド又は第２ポッドのうちの少なくとも１つから入力データを受信することが可能であり、受信した入力データに基づいて出力データを判定することが可能であり、且つ、第１ポッド又は第２ポッドのうちの少なくとも１つを介して出力データを出力することができる。
【０００７】
又、外側ケーシングと、外側ケーシングに機械的に結合された遠位コネクタと、外側ケーシングに機械的に結合された近位コネクタと、近位コネクタに電気的に結合されると共に画像データを検出するカメラと、を有するカメラポッドを有するモジュラー型スマートネックレスについても記述されている。又、モジュラー型スマートネックレスは、外側ケーシングと、外側ケーシングに機械的に結合された遠位コネクタと、外側ケーシングに機械的に結合された近位コネクタと、加速度を検出するための加速度計と、を有する加速度計ポッドをも含む。又、モジュラー型スマートネックレスは、外側ケーシングと、外側ケーシングに機械的に結合された遠位コネクタと、外側ケーシングに機械的に結合された近位コネクタと、データを出力するためのスピーカ又は振動ユニットのうちの少なくとも１つと、を有する出力ポッドをも含む。スピーカ又は振動ユニットは、近位コネクタに電気的に結合されている。カメラポッド、加速度計ポッド、又は出力ポッドのうちの１つのポッドの近位コネクタは、カメラポッド、加速度計ポッド、又は出力ポッドのうちの別のポッドの遠位コネクタに結合されている。又、モジュラー型スマートネックレスは、曲がりを有する外側ケーシングを有するメインユニットをも含む。又、メインユニットは、外側ケーシングに結合されると共に、着脱自在に、回動自在に、且つ、電気的にカメラポッド、加速度計ポッド、又は出力ポッドのうちの１つのポッドの近位コネクタに結合されるように構成された第１コネクタをも含む。又、メインユニットは、外側ケーシングに結合されると共に、着脱自在に、回動自在に、且つ、電気的にカメラポッド、加速度計ポット、又は出力ポッドのうちの１つのポッドの近位コネクタに結合されるように構成された第２コネクタをも含む。メインユニットの外側ケーシングは、首の背面上において休止することが可能であり、且つ、第１コネクタ及び第２コネクタに結合されたポッドのそれぞれのポッドの外側ケーシングは、それぞれ、肩の湾曲に伴って回転することができる。メインユニットに直接的に結合されていないカメラポッド、加速度ポッド、又は出力ポッドのうちの１つのポッドの外側ケーシングは、メインユニットに直接的に結合されているカメラポッド、加速度計ポッド、又は出力ポッドのうちの２つのポッドよりも、胸又は肩に跨って下方に更に遠く延在することができる。又、メインユニットは、カメラと、スピーカ又は振動ユニットうちの１つと、に電力を提供するための電池と、マップデータ又はオブジェクトデータのうちの少なくとも１つを保存するように構成された一時的ではないメモリと、をも含むことができる。又、メインユニットは、第１コネクタ及び第２コネクタに電気的に結合され、且つ、検出された画像データ及び検出された加速度を受信し、且つ、画像データ及び加速度に基づいて出力データを判定し、且つ、出力データを出力するように、振動ユニット又はスピーカのうちの少なくとも１つに指示するべく構成されたプロセッサをも含む。
【０００８】
又、第１コネクタと、第２コネクタと、プロセッサと、を有するモジュラー型スマートネックレスのメインユニットと共に使用されるキットについても記述されている。キットは、外側ケーシングと、遠位コネクタと、メインユニットの第１コネクタ又は別のポッドの遠位コネクタのうちの少なくとも１つに機械的且つ電気的に結合されるように構成された近位コネクタと、をそれぞれが有する複数のポッドを含む。キットは、近位コネクタに電気的に結合されると共に画像データを検出するように構成されたカメラを有するカメラポッドと、近位コネクタに電気的に結合されると共に加速度を検出するように構成された加速度計を有する加速度計ポッドと、を有する盲人キットであってもよい。又、盲人キットは、近位コネクタに電気的に結合されると共にメインユニットのプロセッサから受信されたデータを出力するように構成されたスピーカ又は振動ユニットのうちの少なくとも１つを有する出力ポッドと、近位コネクタに電気的に結合されると共にカメラポッド及び出力ポッドを介した第三者との通信を許容するように構成されたネットワークアクセス装置又はポッドプロセッサのうちの少なくとも１つを含むテレプレゼンスポッドと、をも含むことができる。又、キットは、カメラポッドと、加速度計ポッドと、出力ポッドと、近位コネクタに電気的に結合されると共に場所データを検出するように構成されたＧＰＳユニットを含むＧＰＳポッドと、を含むナビゲーションキットであってもよい。又、キットは、加速度計ポッドと、心拍数又は呼吸数を検出するように構成された心拍数センサ又は呼吸センサのうちの少なくとも１つを有する健康ポッドと、を有するエクササイズキットであってもよい。又、エクササイズキットは、近位コネクタに電気的に結合されると共に運動力を電力に変換するように構成された運動−電力変換器を含む運動ポッドをも含みうる。又、キットは、出力ポッドと、カメラポッドと、近位コネクタに電気的に結合されると共にネットワークを介して第２装置と通信するように構成されたネットワークアクセス装置を含むネットワーク通信ポッドと、を有するスポーツイベントキットを含むこともできる。又、スポーツイベントキットは、入力を受け取るように構成された入力装置と、入力の受取りに応答して画像データを保存するように構成されたメモリと、を含むレコーダポッドを含むこともできる。
【０００９】
本発明のその他のシステム、方法、特徴、及び利点は、以下の図面及び詳細な説明を参照することにより、当業者に明らかとなろう。このようなすべての更なるシステム、方法、特徴、及び利点は、この説明に含まれ、本発明の範囲に含まれ、且つ、添付の請求項によって保護されるものと解釈されたい。図面に示されているコンポーネント部品は、必ずしも縮尺が正確ではなく、且つ、本発明の重要な特徴を更に良好に例示するべく、誇張されている場合がある。図面においては、同一の参照符号は、様々な図の全体を通じて、同一の部分を表記している。
【図面の簡単な説明】
【００１０】
【図１】本発明の一実施形態による、メインユニットと、コンポーネントをそれぞれが有する複数のポッドと、を有するモジュラー型スマートネックレスを示す。
【図２】本発明の一実施形態による、メインユニットと、コンポーネントをそれぞれが有する複数のポッドと、を有する別のモジュラー型スマートネックレスを示す。
【図３Ａ】本発明の一実施形態による、３つのコネクタを含む図１のモジュラー型スマートネックレスのメインユニットを示す。
【図３Ｂ】本発明の一実施形態による、図３Ａのメインユニットのコネクタのうちの１つと、メインユニットのコネクタと結合するためのコネクタを有する振動ポッドと、を示す。
【図３Ｃ】本発明の一実施形態による、コネクタを有するカメラポッドと、カメラポッドのコネクタと結合するためのコネクタを有するネットワーク通信ポッドと、を示す。
【図４Ａ】本発明の実施形態による、電気的且つ／又は機械的な接続のためにポッドの間において使用されうるコネクタを示す。
【図４Ｂ】本発明の実施形態による、電気的且つ／又は機械的な接続のためにポッドの間において使用されうるコネクタを示す。
【図４Ｃ】本発明の実施形態による、電気的且つ／又は機械的な接続のためにポッドの間において使用されうるコネクタを示す。
【図４Ｄ】本発明の実施形態による、電気的且つ／又は機械的な接続のためにポッドの間において使用されうるコネクタを示す。
【図５】本発明の一実施形態による、モジュラー型スマートネックレスのプロセッサによって実行される方法を示すフローチャートである。
【図６】本発明の一実施形態による、様々な目的のためのポッドを含む様々なキットを示すチャートである。
【発明を実施するための形態】
【００１１】
本明細書においては、モジュラー型スマートネックレス及びその動作の方法が開示されている。スマートネックレスは、望ましいコンポーネントのみを有するスマートネックレスを設計するユーザーの能力などのいくつかの利益及び利点を提供する。これは、相対的に多くのエンドユーザーがスマートネックレスの購入を所望しうるように、スマートネックレスの費用の低減などの利点をエンドユーザーに対して提供するのみならず、自身に必要なコンポーネントのみを有する手頃な価格のスマートネックレスを生成するための費用意識の高い人物のための能力をも提供する。スマートネックレスは、既存のコンポーネントが、新しい又は相対的に良好なコンポーネントによってアップグレードされうるように、モジュラー型であるという更なる利点をも提供している。これは、有利であり、その理由は、完全な装用可能スマートネックレスの新しいリリースを待つのではなく、新しいコンポーネントが入手可能になるのに伴って、新しいコンポーネントが販売されることにより、スマートネックレスを既に有しているが、新しいアップグレードされたコンポーネントの追加を所望しているユーザーからの収入を生成することができるからである。コンポーネントは、交換が相対的に容易であることから、スマートネックレスは、迅速且つ安価な修理という更なる利点をも有し、その結果、スマートネックレスは、消費者に対して更に魅力的なものとなっている。又、スマートネックレスは、様々な身体の形状及びサイズを有するユーザーにフィットするように設計できるように、様々な数のコンポーネントの追加を許容していることから、有利である。
【００１２】
例示用のモジュラー型スマートネックレスは、電池又はその他の電源と、メモリと、プロセッサと、を有するメインユニットを含む。又、スマートネックレスは、相互に且つメインユニットに結合されうる１つ又は複数のポッドをも含む。ポッドは、それぞれ、特定の機能を提供するための１つ又は複数のコンポーネントを含む。例えば、カメラポッドは、画像データを検出するためのカメラを含むことが可能であり、スピーカポッドは、オーディオデータを出力するためのスピーカを含むことが可能であり、且つ、警報ポッドは、緊急事態連絡先に警告するためにプロセッサ及びネットワークアクセス装置を含むことができる。メインユニットのプロセッサは、１つ又は複数のポッド（入力装置を有するポッドなど）から命令を受信することが可能であり、検出されたデータを１つ又は複数のポッド（センサ又はネットワークアクセス装置を有するポッドなど）から受信することが可能であり、命令及び受信されたデータに基づいて出力データを判定することが可能であり、且つ、１つ又は複数のポッド（出力装置を有するポッドなど）を使用してデータを出力することができる。メインユニット及びポッドのそれぞれは、メインユニットのコンポーネント及びポッドのそれぞれを機械的に且つ電気的に１つに接続するための１つ又は複数のコネクタを含むことができる。機械的且つ電気的接続は、ユーザーが必要な場合にポッドを変更しうるように、容易に着脱自在であってもよい。１つに接続された際に、メインユニット及び接続されたポッドは、ユーザーの首の周りに装用されたネックレスに類似しうる。
【００１３】
まず、図１を参照すれば、モジュラー型スマートネックレス１００は、メインユニット１０２（又は、メインハウジング）と、複数のポッド（振動ポッド１１０など）と、を含んでもよい。メインユニット１０２は、空洞（図示されてはいない）を定義する外側ケーシング１０３と、メインユニット１０２との関係において、空洞内において又はどこか別の場所において位置決めされたモバイルプロセッサ１０６、メモリ１０８、電池１０４、及び入出力（Ｉ／Ｏ）ポートと、を含んでもよい。電池１０４は、電力を保存する能力を有し、且つ、この電力をメインユニット１０２及び／又は１つ又は複数の接続されたポッドに提供する電池又はその他の電力保存装置であってもよい。
【００１４】
モバイルプロセッサ１０６は、ＡＲＭプロセッサ、ＤＳＰプロセッサ、分散型プロセッサ、又はその他の中央処理の形態などのモバイル演算プロセッサであってもよい。モバイルプロセッサ１０６は、電力を節約するべく、従来のプロセッサよりも低い電圧において動作するように設計されてもよい。又、モバイルプロセッサ１０６は、モジュラー型スマートネックレス１００が望ましくないほどの高温になることを防止するべく、従来のプロセッサよりも低い動作温度を有してもよい。
【００１５】
メモリ１０８は、ＲＡＭ又はその他の揮発性又は不揮発性メモリ、一時的ではないメモリ、或いは、ハードディスクドライブ、半導体ディスクドライブ、ハイブリッドディスクドライブ、又はその他の適切なデータストレージなどのデータストレージ装置のうちの１つ又はこれらの任意の組合せを含んでもよく、且つ、機械可読命令を更に保存してもよく、これらの機械可読命令は、メモリ１０８に読み込まれてもよく、且つ、モバイルプロセッサ１０６によって実行されてもよい。
【００１６】
Ｉ／Ｏポートは、例えば、直接的に又はネットワークを介して、その他の装置及び／又は周辺装置に接続するための１つ又は複数のポートを含んでもよい。いくつかの実施形態においては、Ｉ／Ｏポートは、これに加えて又はこの代わりに、電池１０４に結合されてもよく、且つ、供給源（ＵＳＢポート又は電力変換器など）から電力を受け取ってもよく、且つ、電力を電池１０４に提供してもよい。例えば、Ｉ／Ｏポートは、ヘッドフォンジャック、データポート（ＵＳＢポートなど）、無線充電ポート、Ｂｌｕｅｔｏｏｔｈ又はＷｉＦｉアンテナ、高周波識別（ＲＦＩＤ：Ｒａｄｉｏ  Ｆｒｅｑｕｅｎｃｙ  ＩＤｅｎｔｉｆｉｃａｔｉｏｎ）アンテナ又は読取器、及び／又は近距離通信（ＮＦＣ：Ｎｅａｒ  Ｆｉｅｌｄ  Ｃｏｍｍｕｎｉｃａｔｉｏｎ）ユニットを含んでもよい。
【００１７】
メインユニット１０２は、様々な特徴及び機能をそれぞれが有する１つ又は複数のポッドに機械的且つ電気的に結合されてもよい。例えば、振動（又は、出力）ポッド１１０は、空洞（図示されてはいない）を定義する外側ケーシング１１３と、その内部において位置決めされた振動ユニット１１２と、を含んでもよい。振動ポッド１１０の外側ケーシング１１３は、メインユニット１０２の外側ケーシング１０３に着脱自在に結合されてもよい。例えば、外側ケーシング１０３、１１３は、着脱自在のコネクタ（スナップコネクタなど）を介して１つに結合されてもよい。更には、機械的接続は、外側ケーシング１０３、１１３が相互の関係において回転又は回動しうるようなものであってもよい。電気的接続は、データ及び／又は電力が、メインユニットの電池１０４、モバイルプロセッサ１０６、及びメモリ１０８、並びに、振動ポッド１１０の振動ユニット１１２の間において転送されることを許容している。
【００１８】
又、これらのポッドは、その他のポッドに結合されてもよい。例えば、振動ポッド１１０は、スピーカポッド１１８（別の出力ポッド）などの別のポッドに機械的に且つ電気的に結合されてもよい。スピーカポッド１１８は、（その他のポッドと同様に）、空洞（図示されてはいない）を定義する外側ケーシング１１９と、その内部において位置決めされたスピーカ１２０と、を含んでもよい（その他のポッドは、スピーカ以外のコンポーネントを含んでもよい）。スピーカポッド１１８の外側ケーシング１１９は、振動ポッド１１０の外側ケーシング１１３に着脱自在に結合されてもよい。外側ケーシング１１３、１１９は、回転自在に且つ／又は回動自在に結合されてもよく、或いは、堅固に結合されてもよい。いくつかの実施形態においては、ポッドのすべてが、回転自在に／回動自在に結合されており、いくつかの実施形態においては、ポッドのすべてが、堅固に結合されており、且つ、いくつかの実施形態においては、いくつかのポッドが、回転自在に／回動自在に結合されてもよく、且つ、いくつかのポッドは、堅固に結合されてもよい。
【００１９】
モジュラー型スマートネックレス１００は、１つ又は複数のポッドをメインユニット１０２に接続し、且つ、１つ又は複数のポッドを１つに潜在的に結合することにより、生成されてもよい。メインユニット１０２は、曲がりを有してもよく、且つ、ユーザーの首の背面上において休止するように設計されてもよい。メインユニット１０２に直接的に接続されたポッドは、ユーザーの肩に跨って延在するのに伴って、回動又は回転してもよく、且つ、更なるポッドは、継続して回動又は回転してもよく、且つ、ユーザーの肩及び胸の外形に準拠してもよい。
【００２０】
ポッドのそれぞれは、様々なコンポーネント及び特徴を含むことができる。例えば、振動ポッド１１０は、触覚及び触感出力を提供する能力を有する振動モーター又はアクチュエータを含む振動ユニット１１２を含む。又、特定の実装形態においては、振動ユニット１１２は、音響を生成する能力を有してもよい。スピーカポッド１１８のスピーカ１２０は、１つ又は複数のスピーカであってもよく、或いは、音響及び／又は振動を生成する能力を有するその他の装置であってもよい。先程開示したように、メインユニット１０２は、振動ポッド１１０に電気的に接続されてもよく、且つ、振動ポッド１１０は、スピーカポッド１１８に電気的に接続されてもよい。この点において、メインユニット１０２の電池１０４は、電力を振動ユニット１１２及びスピーカ１２０に提供してもよく、且つ、モバイルプロセッサ１０６は、信号を振動ユニット１１２及びスピーカ１２０との間において送信及び受信してもよい。
【００２１】
モバイルプロセッサ１０６は、パススルー通信プロトコルを使用して（その他のポッドのコンポーネントと共に）振動ユニット１１２及びスピーカ１２０と通信してもよい。例えば、プロトコルは、コントローラエリアネットワーク（ＣＡＮ（Ｃｏｎｔｒｏｌｌｅｒ  Ａｒｅａ  Ｎｅｔｗｏｒｋ）バス）プロトコルを含んでもよい。モバイルプロセッサ１０６は、それぞれのポッドのコンポーネントの能力を判定すると共に相応してコンポーネントを制御する能力を有してもよい。コンポーネントと通信するべく、モバイルプロセッサ１０６は、接続されたポッド及び／又はコンポーネントのそれぞれに一意の識別子を割り当ててもよく、且つ、識別子とマッチングしたポッドによって受信されるように、割り当てられた識別子を含むメッセージを送信することにより、ポッドのそれぞれと通信してもよい。
【００２２】
又、モジュラー型スマートネックレス１００は、外側ケーシング１１７を含むスペーサポッド１１４を含んでもよい。スペーサポッド１１４は、メインユニット１０２及び第２スピーカポッド１２２に電気的且つ機械的に結合されてもよい。この接続は、着脱自在且つ回動自在又は回転自在であってもよい。いくつかの実施形態においては、スペーサポッド１１４の外側ケーシング１１７は、ユーザーの身体の外形に相対的に良好に準拠するべく折れ曲がりうるように、曲がりやすくてもよい。
【００２３】
スペーサポッド１１４は、データライン１１５及び電力ライン１１６を含んでもよく、これらのそれぞれは、１つ又は複数のワイヤ又はケーブルを含んでもよい。データライン１１５は、その他のポッドのコンポーネント（第２スピーカポッド１２２のスピーカ１２４など）とモバイルプロセッサ１０６の間において信号を搬送してもよい。電力ライン１１６は、その他のポッドのコンポーネント（第２スピーカポッド１２２のスピーカ１２４など）と電池１０４の間において電力信号を搬送してもよい。
【００２４】
スペーサポッド１１４は、任意の２つのポッドの間において又はポッドとメインユニット１０２の間において位置決めされてもよい。従って、１つ又は複数のスペーサポッドは、様々なサイズ及び形状の人々に相対的に良好にフィットするようにモジュラー型スマートネックレス１００の物理的レイアウトを変更するべく、装着することができる。例えば、ユーザーが相対的に大きな肩を有する場合には、１つ又は複数のスペーサポッド１１４をメインユニット１０２と更なるポッドの間において結合することにより、ユーザーにとって相対的に良好なフィットを許容するのみならず、コンポーネントポッド（即ち、データ及び電力ラインに加えてコンポーネントを有するポッド）が、ユーザーの肩の上部の代わりに、ユーザーの身体の前面において、接続されることを許容してもよい。ユーザーの身体の前面におけるコンポーネントポッドの位置決めは、コンポーネント（カメラなど）が、上向きの代わりに、前向きに対向することを許容することから、望ましいであろう。
【００２５】
第２スピーカポッド１２２は、第２スピーカ１２４を含む。モバイルプロセッサ１０６は、スピーカ１２０、１２４を検出した際に、モノオーディオデータの代わりに、ステレオオーディオデータを出力できることを認識しうる。メインユニット１０２に装着されうるポッドの数は、制限されてはおらず、従って、サラウンド音響を提供するべく、更なるスピーカポッドを追加することができる。
【００２６】
又、モジュラー型スマートネックレス１００は、類似した特徴をそれぞれが有するカメラポッド１２６及びカメラポッド１３０を含んでもよい。カメラポッド１２６は、カメラ１２８及びプロセッサ１２９を含んでもよく、且つ、カメラポッド１３０は、カメラ１３２及びポッドプロセッサ１３３を含んでもよい。カメラ１２８、１３２のうちのいずれか又は両方は、画像データを検出する能力を有するカメラ又はその他の光学センサを含んでもよい。スピーカ１２０、１２４と同様に、モバイルプロセッサ１０６は、ステレオ画像データを形成するべく、カメラ１２８、１３２から受信された画像を組み合わせることができることを認識しうる。次いで、ステレオ画像データは、カメラ１２８、１３２の視野内にある物体に対応した距離情報を判定するべく、使用することができる。別の態様においては、カメラ１２８、１３２は、カメラ１２８、１３２の位置決めを制御しうるように、モバイルプロセッサ１０６及び／又はポッドプロセッサ１３３によって制御可能なアクチュエータ又はモーター（図示されてはいない）に結合されてもよい。この結果、モバイルプロセッサ１０６は、カメラ１２８、１３２の焦点距離を変更することができる。視野を改善するべく、且つ／又は、距離情報の精度を改善するべく、更なるカメラを追加することもできる。例えば、異なる方向において合焦された状態において、様々なカメラを追加することにより、カメラの集合体の視野を増大させることができる。別の例として、ネックレスが盲人ユーザー用の詳細な距離情報を提供しうるように、盲目ユーザー用のネックレス上において３つのカメラを含んでもよい。
【００２７】
カメラポッド１２６は、カメラ１２８と、プロセッサ１２９と、を有する。いくつかの実施形態においては、カメラポッド、又は任意のその他のポッドは、複数のセンサを有することができる。例えば、１つのポッドが、カメラと、赤外線（ＩＲ：ＩｎｆｒａＲｅｄ）センサと、を含んでもよく、別のポッドは、ＧＰＳチップ、加速度計、及びジャイロスコープを含んでもよい。これらのコンビネーションポッドは、必ずしも、関係するコンポーネントのすべてを含む必要はない。例えば、ポッドは、カメラ及びスピーカを含んでもよく、或いは、カメラ及び加速度計を含んでもよい。これらのコンビネーションポッドは、その他のポッドと同様に、プロセッサ、メモリ、又は本明細書において記述されている任意のその他の装置を含んでもよく、或いは、そうでなくてもよい。
【００２８】
又、モジュラー型スマートネックレス１００は、ＧＰＳユニット１３８を含む全地球測位システム（ＧＰＳ：Ｇｌｏｂａｌ  Ｐｏｓｉｔｉｏｎｉｎｇ  Ｓｙｓｔｅｍ）ポッド１３６を含んでもよい。ＧＰＳユニット１３８は、場所データを検出する能力を有する。モバイルプロセッサ１０６は、モジュラー型スマートネックレス１００の現時点の場所を判定するべく、場所データを受信してもよく、且つ、この場所データをメモリ１０８内において保存されているマップデータなどのマップデータと比較してもよい。いくつかの実施形態においては、モバイルプロセッサ１０６は、検出された画像データ及び／又はその他のデータ（加速度計ポッド１４４の加速度計１４６からの加速度データなど）をナビゲーション命令の判定に含めてもよい。この点において、ナビゲーション命令は、ＧＰＳユニットしか利用していないシステムと比べて、相対的に高い精度を有しうる。
【００２９】
加速度計ポッド１４４は、加速度計１４６を含んでもよい。加速度計１４６は、単軸又は多軸加速度計であってもよく、且つ、複数の加速度計を含んでもよい。加速度計１４６は、１つ、２つ、３つ、又はこれを上回る数の軸に沿った加速度情報を検出することができる。
【００３０】
又、モジュラー型スマートネックレス１００は、ネットワーク通信ポッド１４０を含んでもよい。ネットワーク通信ポッド１４０は、ネットワークアクセス装置１４２と、アンテナ（図示されてはいない）と、を含んでもよい。ネットワークアクセス装置１４２は、Ｗｉ−Ｆｉユニット、Ｂｌｕｅｔｏｏｔｈユニット、高周波識別（ＲＦＩＤ）タグ又は読取器、物理的なＥｔｈｅｒｎｅｔコネクタ、セルラーネットワーク（３Ｇ又は４Ｇなど）にアクセスするためのセルラーネットワークユニット、又はこれらに類似したもののうちの１つ又は複数を含んでもよい。ネットワークアクセス装置１４２は、モジュラー型スマートネックレス１００が、データのダウンロード（メインユニット１０２に対する更新、その他のポッドに対する更新、及び／又は画像／オーディオのダウンロードなど）及びデータのアップロード（状態の更新及び／又は画像／オーディオのアップロードなど）のために、別の装置又はネットワークに接続することを許容してもよい。
【００３１】
又、モジュラー型スマートネックレス１００は、警報ポッド１４８を含んでもよい。警報ポッド１４８は、ポッドプロセッサ１５０と、ネットワーク通信ポッド１４０のネットワークアクセス装置１４２に類似したネットワークアクセス装置１５２と、を含んでもよい。いくつかの実施形態においては、モバイルプロセッサ１０６及び／又はポッドプロセッサ１５０は、カメラポッド１２６（即ち、落下に対応した画像データ又は銃の正面図に対応した画像データ）又は加速度計ポッド１４４（即ち、落下に対応した加速度データ）などのその他のポッドから受信されたデータに基づいて、医療又は安全警報を生成する必要があるかどうかを判定してもよい。又、いくつかの実施形態においては、警報ポッド１４８は、警報が望ましい場合に、ユーザーが押下しうる又はその他の方法で起動しうるボタン又はその他の入力を含んでもよい。
【００３２】
警報が望ましい場合には、モバイルプロセッサ１０６及び／又はポッドプロセッサ１５０は、医療警報を送信するように、ネットワークアクセス装置１５２を制御してもよい。例えば、医療警報は、近隣の病院又は９１１コールセンタなどの既定の医療又は支援チームに対する記録済みのオーディオ又はテキストメッセージ、ビーコン、又はその他の信号を含んでもよい。従って、モジュラー型スマートネックレス１００は、緊急事態を検出すると共に、相応して責任を担う関係者に警報しうることから、警報ポッド１４８の包含は、ユーザー用のセイフティネットを提供する。
【００３３】
いくつかの実施形態においては、警報ポッド１４８は、モバイルプロセッサ１０６が論理機能を実行するように、ポッドプロセッサ１５０を含まなくてもよく、且つ、いくつかの実施形態においては、警報ポッド１４８は、信号がネットワーク通信ポッド１４０のネットワークアクセス装置１４２を介して送信されるように、ネットワークアクセス装置１５２を含まなくてもよい。
【００３４】
又、モジュラー型スマートネックレス１００は、ボタンポッド１５４を含んでもよい。ボタンポッド１５４は、１つ又は複数のボタン１５６又はユーザー入力を受け取るためのその他の入力装置を含んでもよい。ユーザーは、ボタン１５６を介してモジュラー型スマートネックレス１００の動作を制御してもよい。例えば、ユーザーは、モジュラー型スマートネックレス１００のモードの間において切り替えるべく、動作を開始又は停止するべく、或いは、これらに類似した内容を実行するべく、ボタン１５６を使用してもよい。いくつかの実施形態においては、ボタン１５６は、ボタンポッド１５４の前面、側面、底面、又は背面のうちの１つ又は複数のものの上部において位置決めされてもよい。いくつかの実施形態においては、スクローラ、タッチパッド、スイッチ、又はこれらに類似したものなどのその他のタイプの入力が含まれてもよい。
【００３５】
又、モジュラー型スマートネックレス１００は、ディスプレイ１６０を含むディスプレイポッド１５８を含んでもよい。ディスプレイ１６０は、既定のフォーマットにおいて配列された１つ又は複数の光源などのアナログディスプレイであってもよく、或いは、ＬＣＤ又はその他のデジタルディスプレイなどのデジタルディスプレイであってもよい。いくつかの実施形態においては、ディスプレイ１６０は、入力を受け取ると共に出力を表示する能力を有するタッチスクリーンであってもよい。ディスプレイ１６０は、モバイルプロセッサ１０６に電気的に結合されてもよく、且つ、モバイルプロセッサ１０６による指示に応じてデータを出力してもよい。
【００３６】
又、モジュラー型スマートネックレス１００は、生体計測センサ１６４を有する生体計測セキュリティポッド１６２を含んでもよい。生体計測センサ１６４は、指紋、網膜スキャン、音声パターン、顔面認識、又はこれらに類似したものなどの１つ又は複数の生体計測の計測値を検出する能力を有してもよい。いくつかの実施形態においては、モジュラー型スマートネックレス１００は、生体計測センサ１６４が、認可されたユーザーの生体計測値を検出する時点まで、ユーザー入力に応答しない。例えば、メモリ１０８は、１つ又は複数の認可されたユーザーの生体計測値に対応したデータを保存してもよい。モバイルプロセッサ１０６は、生体計測センサ１６４から、検出された生体計測値を受け取ってもよく、且つ、この生体計測値をメモリ１０８内において保存されている１つ又は複数の認可された生体計測値と比較してもよい。マッチングが見出された場合に、モバイルプロセッサ１０６は、ユーザーによるモジュラー型スマートネックレス１００とのやり取りを許容してもよい。但し、マッチングが見出されない場合には、モバイルプロセッサ１０６は、ユーザーによるモジュラー型スマートネックレス１００とのやり取りを妨げてもよい。
【００３７】
類似した態様において、ポッドのそれぞれは、認可された生体計測値を保存する能力を有するメモリを含んでもよい。この点において、ポッドのそれぞれは、認可された生体計測値が生体計測センサ１６４によって検出される時点まで、ユーザー入力に応答しなくてもよい。その他の実施形態においては、モバイルプロセッサ１０６は、モバイルプロセッサ１０６が、検出された生体計測値が認可されているという判定に応答して、スイッチを「オン」位置に反転させる時点まで、ポッドがユーザー入力に応答することを防止するそれぞれのポッド上の論理スイッチを制御してもよい。従って、モジュラー型スマートネックレス１００及びそのポッドのそれぞれは、盗難に遭った場合に使用不能とすることができる。
【００３８】
又、モジュラー型スマートネックレス１００は、健康ポッド１６６を含んでもよい。健康ポッド１６６は、ユーザーの心拍数、歩数、及び／又は呼吸数を検出するためのセンサ１６８を含んでもよい。この情報は、ユーザーがトレーニングしている際に、自身のエクササイズ目標を充足しているかどうかをユーザーが特定することを支援するべく、使用することができる。
【００３９】
モジュラー型スマートネックレス１００のポッドのそれぞれは、類似の寸法を有してもよく、或いは、異なる寸法を有してもよい。例えば、スペーサポッド１１４の外側ケーシング１１７は、ＧＰＳポッド１３６の外側ケーシング１３７の長さ１７０を上回る長さ１７４と、ＧＰＳポッド１３６の外側ケーシング１３７の幅１７２未満の幅１７６と、を有してもよい。いくつかの実施形態においては、モジュラー型スマートネックレス１００が、様々なサイズ及び形状のユーザーに相対的に良好にフィットされうるように、様々な長さ及び幅を有するスペーサポッドが提供されてもよい。
【００４０】
スペーサポッドに加えて、様々な寸法及び形状を有するその他のポッドが提供されてもよい。例えば、ボタンポッド１５４の外側ケーシング１５７は、ＧＰＳポッド１３６の長さ１７０及び幅１７２を上回る長さ１８０及び幅１８２の両方を有してもよい。類似の態様においては、様々な形状を有するいくつかのポッドが提供されてもよい。例えば、加速度計ポッド１４４の外側ケーシング１４７は、ＧＰＳポッド１３６及びボタンポッド１５４と相対的に良好にアライメントされるように、曲がりを有してもよい。ポッドの様々なサイズ及び形状は、モジュラー型スマートネックレスの望ましい形状、外側ケーシングとフィットするべくすべてのコンポーネントに必要とされる面積の量、又はこれに類似したものなどの様々な要因に基づいたものであってもよい。同様に、任意のその他の２つのポッドの間において又は１つのポッドとメインユニット１０２の間において結合されうるように、異なるサイズ及び形状を有する１つのタイプのポッドが提供されてもよい。例えば、別の加速度計ポッドは、ＧＰＳポッド１３６と類似した寸法を有してもよい。
【００４１】
次に図１及び図２を参照すれば、モジュラー型スマートネックレス３００は、モジュラー型スマートネックレス１００とは異なるポッドを含んでもよい。任意のモジュラー型スマートネックレス内において利用されるポッドは、ユーザーによって選択されてもよい。モジュラー型スマートネックレス３００は、メインユニット１０２とは異なる特徴を含むメインユニット３０２を含む。メインユニット３０２は、モジュラー型スマートネックレス１００の対応するコンポーネントと同様に機能する電池３０４、プロセッサ３０６、及びメモリ３０８を含む。但し、メインユニット３０２は、オーディオ出力を提供するための第１スピーカ３０１及び第２スピーカ３０３を含んでもよい。メインユニット３０２内におけるスピーカ３０１、３０３の包含は、モジュラー型スマートネックレス３００が、オーディオポッドの包含を伴うことなしに、オーディオを提供することを許容する。
【００４２】
又、図２を再度参照すれば、モジュラー型スマートネックレス３００は、電池ポッド３１０を含んでもよい。電池ポッド３１０は、電力をメインユニット３０２及び／又はその他のポッドのコンポーネントに提供するための第２電池３１２を含んでもよい。電池ポッド３１０の包含は、外部電力を伴うことなしに、モジュラー型スマートネックレス３００が使用されうる時間の量を延長させることができる。
【００４３】
又、モジュラー型スマートネックレス３００は、１つ又は複数の太陽電池３１６を含む太陽ポッド３１４を含んでもよい。太陽電池３１６は、太陽光を受け取ってもよく、且つ、太陽光を電力に変換してもよい。電力は、（例えば、電池３０４を充電することによって）電力をメインユニット３０２及び／又はその他のポッドのコンポーネントに提供するべく、使用されてもよい。
【００４４】
又、モジュラー型スマートネックレス３００は、運動−電力変換器３２０を含む運動ポッド３１８を含んでもよい。運動−電力変換器３２０は、運動エネルギーを電力に変換するように設計されてもよく、この電力は、メインユニット３０２及び／又はその他のポッドのコンポーネントに電力を提供するべく使用することができる。例えば、運動−電力変換器３２０は、ユーザーの運動によって生成された運動エネルギーを電力に変換するべく、圧電技術又は磁気共鳴技術を使用してもよい。
【００４５】
又、モジュラー型スマートネックレス３００は、ディスプレイ３２４を含むと共に図１のディスプレイポッド１５８及びディスプレイ１６０と同様に動作する情報ポッド３２２を含んでもよい。但し、情報ポッド３２２は、ユーザーの名前、ユーザーの住所、又はこれらに類似したものなどの既定の情報を常に出力するようにプログラムされてもよい。
【００４６】
又、モジュラー型スマートネックレス３００は、ディスプレイ３３０、或いは、ＲＦＩＤタグ、Ｂｌｕｅｔｏｏｔｈ出力装置、又はこれらに類似したものなどの機械可読出力装置３２８のうちの少なくとも１つを有する緊急事態表示ポッド３２６を含んでもよい。緊急事態表示ポッド３２６は、ユーザーに対して処方されている現時点の薬剤、ユーザーの医療的状態、又はこれらに類似したものなどの緊急事態情報を表示又は出力してもよい。この点において、緊急事態のケースにおいては、傍観者及び／又は医療要員は、有用な医療情報を受け取ることができる。
【００４７】
又、モジュラー型スマートネックレス３００は、ボタン３３４を含むボタンポッド３３２を含んでもよい。図１及び図３を参照すれば、ボタンポッド３３２は、ボタンポッド１５４と同一のボタンを含んでもよい。但し、ボタン３３４は、ボタン１５６とは逆の順序において方向付けされてもよい。この点において、ボタンポッド及び／又は任意のその他のポッドは、左利き又は右利きの人物による使用のために設計されてもよい。例えば、ボタン１５６の向きは、モジュラー型スマートネックレス１００の右手側において配置されることが可能であると共に右利きの人物によって使用されうるようなものになっている。ボタン３３４の向きは、モジュラー型スマートネックレス３００の左側において配置されることが可能であると共に、右利きの人物がボタン１５６を使用しうるものと同一の方式により、左利きの人物によって使用されうるようなものになっている。
【００４８】
又、図２を再度参照すれば、モジュラー型スマートネックレス３００は、入力装置３４０と、メモリ３４２と、を含むレコーダポッド３３８を含んでもよい。検出されたデータを保存する必要があることを示す入力が、入力装置３４０によって受け取られてもよい。例えば、入力が入力装置３４０によって受け取られた際には、後から使用されるように、マイクロフォンポッド３５６のマイクロフォン３５８によって収集された任意のデータがメモリ３４２内において保存されてもよい。レコーダポッド３３８は、カメラポッド、ＧＰＳポッド、又はこれらに類似したものなどのその他のポッドとの関連において使用されてもよい。これは、ユーザーが、コンサート又はプレゼンテーションに出席しており、且つ、後から使用されるように、オーディオ又はビデオを記録することを所望している場合に、有利である。
【００４９】
又、モジュラー型スマートネックレス３００は、マイクロフォン３５８を含むマイクロフォンポッド３５６を含んでもよい。マイクロフォン３５８は、オーディオデータを検出することができる。
【００５０】
又、モジュラー型スマートネックレス３００は、出力装置３４６、プロセッサ３４８、及びメモリ３５０を含む重要なその他のモジュール３４４を含んでもよい。メモリ３５０は、予め記録されたテキスト、オーディオ、及び／又はビデオメッセージを含んでもよい。予め記録されたメッセージは、ユーザーの友人又は親族によって提供されてもよく、且つ、特定のユーザーに固有のものであってもよい。出力装置３４６は、スピーカ、ディスプレイ、及び／又は振動ユニットを含んでもよい。プロセッサ３４８は、出力装置３４６が、予め記録されたメッセージを、既定の時刻において、既定の時間インターバルにおいて、且つ／又は、入力に応答して、出力するようにしてもよい。いくつかの実施形態においては、予め記録されたメッセージは、メインユニット３０２及び／又はその他のポッドを使用して出力されてもよい。
【００５１】
又、モジュラー型スマートネックレス３００は、リフレッシュ可能な点字ディスプレイ３６２を含む点字ポッド３６０を含んでもよい。リフレッシュ可能な点字ディスプレイ３６２は、点字セル３６３内において定義されたアパーチャを通じてそれぞれが延在しうる６つの運動可能なロッド又はピンを含む１つ又は複数の点字セル３６３を含む。それぞれの点字セル３６３の６つの運動可能なロッド又はピンは、それぞれの点字セル３６３が点字文字を表現しうるように、点字セル３６３から外向きに延在するか又は点字セル３６３から内向きに退却するべく、制御することができる。従って、点字ポッド３６０は、テキストを判読するべく、盲人によって使用されうる。
【００５２】
又、モジュラー型スマートネックレス３００は、１つ又は複数の着脱自在のタグ３６６と、読取器装置３６８と、を含むタグモジュール３６４を含んでもよい。着脱自在のタグ３６６のそれぞれは、Ｂｌｕｅｔｏｏｔｈ信号又はＲＦＩＤ信号などのビーコンを送信する送信機を含んでもよい。読取器装置３６８は、受信されたビーコンに基づいて着脱自在のタグ３６６のそれぞれのタグのビーコンを検出する能力を有していてもよい。読取器装置３６８及び／又はプロセッサ３０６は、着脱自在のタグ３６６のそれぞれに対応した場所情報を判定するべく、ビーコン情報を使用することができる。次いで、プロセッサ３０６は、着脱自在のタグ３６６の場所を示す出力データを提供するべく、出力ポッド及び／又はその他の出力装置（スピーカ３０１、３０３など）を使用してデータを出力してもよい。一例においては、ユーザーは、着脱自在のタグ３６６のうちの１つを自身の財布内において配置してもよい。財布が、誤った場所に配置された場合には、ユーザーは、モジュラー型スマートネックレス３００に入力を提供してもよい。その結果、読取器装置３６８は、方向、距離、マップ上の場所、又はこれらに類似したものなどのタグに対応した場所データを検出してもよく、且つ、次いで、プロセッサ３０６は、場所データを出力するように、出力装置に対して指示してもよい。
【００５３】
又、モジュラー型スマートネックレス３００は、メモリ３７２と、ＵＳＢインターフェイス３７４と、を含むＵＳＢポッド３７０を含んでもよい。メモリ３７２は、メインユニット３０２及び／又は別のポッドから受信されたデータを保存する能力を有する一時的ではないメモリであってもよく、且つ／又は、ＵＳＢインターフェイス３７４を介して受信されたデータを保存してもよい。この点において、モジュラー型スマートネックレス３００からのデータは、メモリ３７２内においてデータを保存し、ＵＳＢインターフェイス３７４をリモート装置に接続し、且つ、データをリモート装置に転送することにより、リモート装置に転送することができる。同様に、リモート装置からのデータも、データをＵＳＢインターフェイス３７４を介してメモリ３７２上に転送し、次いで、データをメインユニット３０２及び／又はモジュラー型スマートネックレス３００のポッドに転送することにより、モジュラー型スマートネックレス３００に転送することができる。ＵＳＢインターフェイスは、オス又はメスＵＳＢインターフェイス、従来型の又はミニＵＳＢインターフェイス、又は別のインターフェイスを完備することができる。
【００５４】
又、モジュラー型スマートネックレス３００は、ポッドプロセッサ３７８及びネットワークアクセス装置３８０を含むテレプレゼンスポッド３７６を含んでもよい。ポッドプロセッサ３７８及びネットワークアクセス装置３８０は、友人又は家族の電話機又はコンピュータなどのリモート装置との間において通信を確立するべく、使用されてもよい。ポッドプロセッサ３７８は、マイクロフォンポッド３５６などの入力ポッドからデータを受信してもよく、且つ、このデータをネットワークアクセス装置３８０を介してリモート装置に送信してもよい。又、ネットワークアクセス装置３８０は、画像又はオーディオデータなどのデータを受信してもよく、且つ、出力ポッド、及び／又は、スピーカ３０１、３０３などの任意のその他の出力装置を使用して、このデータを出力してもよい。この点において、テレプレゼンスポッド３７６は、ユーザーによるその他の人物との通信を許容する。
【００５５】
次に図１及び図３Ａを参照すれば、メインユニット１０２は、様々なポッドに接続するための１つ又は複数のコネクタを含んでもよい。メインユニット１０２は、メインユニット１０２の第１端部上の第１コネクタ２００、メインユニット１０２の第２端部上の第２コネクタ２０２、及び第１コネクタ２００と第２コネクタ２０２の間において位置決めされた第３コネクタを含む。メインユニット１０２は、図３Ａに示されているものよりも多くの又は少ない数のコネクタを含んでもよい。
【００５６】
ユーザーは、ポッドが、自身の肩に跨って、且つ、潜在的に自身の胸を下方に、延在しうるように、第１コネクタ２００及び第２コネクタ２０２のそれぞれに対して１つ又は複数のポッドを接続してもよい。更には、ユーザーは、ポッドが、メインユニット１０２から自身の背面を下方に延在しうるように、１つ又は複数のポッドを第３コネクタ２０４に接続してもよい。第３コネクタ２０４の場所は、様々な状況において利点を提供しうる。例えば、警察官によって使用される際には、カメラポッドが第３コネクタ２０４に接続されてもよく、且つ、モバイルプロセッサ１０６は、なにかが警察官の背後に接近している場合に警察官に対して警告するべく、出力を生成するように設計されてもよい。
【００５７】
次に図３Ｂを参照すれば、メインユニット１０２の第１コネクタ２００は、メインユニット１０２の外側ケーシング１０３に回動自在に結合されるレセプタクル２５０を含んでもよい。メインユニット１０２の外側ケーシング１０３は、外側ケーシング１０３の中心に向かって延在する１つ又は複数の回動空洞２６４を含んでもよい。レセプタクル２５０は、回動空洞２６４内に延在する１つ又は複数の指２２６を定義するレセプタクルケーシング２５３を含んでもよい。回動空洞のうちのそれぞれの回動空洞の両側部における外側ケーシング１０３のエリアは、外側ケーシング１０３の幅に跨って延在する開口部（図示されていない）を定義してもよい。又、指２６６のそれぞれは、指２６６のそれぞれの指の幅に跨って延在する開口部（図示されてはいない）を定義してもよい。外側ケーシング１０３及び指２６６の開口部は、アライメントされてもよく、且つ、これを通じて、ピン２６８が挿入されてもよい。ピン２６８は、ピン２６８が除去された状態になる尤度を低減するべく、ナット、ねじ、ロックピン、又はその他のコネクタなどのロックメカニズムを使用して定位置において結合されてもよい。この点において、ピン２６８は、レセプタクルケーシング２５３が外側ケーシング１０３に回動自在に結合されるようにすることができる（即ち、レセプタクルケーシング２５３と外側ケーシング１０３は、ピン２６８を中心として相互の関係において回動することができる）。
【００５８】
レセプタクル２５０は、データ及び／又は電力信号の伝播を許容するための１つ又は複数のソケット２５２又はその他の接点を含んでもよい。ソケット２５２は、１つ又は複数のワイヤ２５６又はレセプタクル２５０内のその他の接続を介して曲がりやすいケーブル２５８に結合されてもよい。曲がりやすいケーブル２５８は、１つ又は複数の電力ライン２６０を介して電池１０４に接続されてもよく、且つ、１つ又は複数のデータライン２６２を介してモバイルプロセッサ１０６及び／又はメモリ１０８に接続されてもよい。レセプタクル２５０がメインユニット１０２との関係において回動するのに伴って、曲がりやすいケーブル２５８が折れ曲がるように設計することにより、曲がりやすいケーブル２５８の寿命を延長させてもよい。
【００５９】
レセプタクルケーシング２５３は、振動ポッド１１０のコネクタ２８５を受け入れるように設計されたスナップフィット空洞２５４を定義してもよい。コネクタ２８５は、メインユニット１０２に近接した振動ポッド１１０の一端上に位置していることから、近位コネクタと見なされてもよい。コネクタ２８５は、１つ又は複数のピン２８４又はその他の接点を含むプラグ２８２と、１つ又は複数の凹部２８８と、を含んでもよい。プラグ又はこれに対して接続されたコンポーネントは、その幅に跨って（即ち、ピン２８４に向かって）圧縮されうるように、部分的に圧縮可能であってもよい。
【００６０】
振動ポッド１１０をメインユニット１０２に接続するべく、プラグ２８２は、その幅に跨って圧縮されてもよく、且つ、レセプタクル２５０に挿入されてもよい。プラグ２８２がスナップフィット空洞内において位置決めされるのに伴って、ソケット２５２のそれぞれは、ピン２８４のうちの１つを受け入れ、これにより、信号ポッド１１０とメインユニット１０２の間に電気的接続を生成してもよい。更には、スナップフィット空洞２５４の形状は、凹部２８８がレセプタクルケーシング２５３のエッジ２７１を受け入れることができるように、プラグ２８２の圧縮解除を許容してもよい。この結果、プラグ２８２がレセプタクル２５０から不注意によって除去される尤度が低減される。レセプタクル２５０からプラグ２８２を除去するべく、プラグ２８２は、レセプタクルケーシング２５３の開口部２７０を通じて圧縮されてもよい。プラグ２８２が圧縮されるのに伴って、凹部２８８は、プラグ２８２がレセプタクルケーシング２５３から除去されうるように、エッジ２７１を解放する。
【００６１】
ピン２８４は、振動ポッドの１つ又は複数のコンポーネントに電気的に接続されてもよい。例えば、振動ポッド１１０は、１つ又は複数のデータライン及び１つ又は複数の電力ライン２８９を介してピン２８４に結合されたポッドプロセッサ２８１及びメモリ２８３を含むことができる。又、ポッドプロセッサ２８１及びメモリ２８３に結合されていることに加えて、データライン２８７及び／又は電力ライン２６０は、振動ポッド１１０の第２の、又は遠位の、コネクタ２８６に電気的に接続されてもよい。この結果、別のポッドをコネクタ２０６に接続することが可能であり、且つ、振動ポッド１１０を介してメインユニット１０２から電力及びデータ信号を受信することができる。コネクタ２８６は、メインユニット１０２にとって遠位である振動ポッド１１０の一端上において位置決めされていることから、遠位コネクタと見なされてもよい。第２コネクタ２８６は、第１コネクタ２００と類似した特徴を有してもよい。例えば、遠位コネクタ２８６は、別のコネクタに回動自在に装着されるように設計されてもよく、且つ、データ及び／又は電力信号の送信を許容してもよい。
【００６２】
振動ポッド１１０のコンポーネントの説明に戻れば、電力ライン２８９は、電力を振動ユニット１１２、ポッドプロセッサ２８１、及び／又はメモリ２８３に供給してもよい。同様に、データライン２８７は、ポッドプロセッサ２８１に接続されてもよい。ポッドプロセッサは、振動ユニット１１２に対して電気的に結合されてもよく、且つ、図１のモバイルプロセッサ１０６からデータライン２８７を介して受信されたデータに基づいて、これを制御するように設計されてもよい。いくつかの実施形態においては、ポッドプロセッサ２８１は、振動ポッド１１０を通じた電力信号の送信を調節してもよい。
【００６３】
ポッドプロセッサ２８１は、ＡＲＭプロセッサ、ＤＳＰプロセッサ、分散型プロセッサ、又は中央処理のその他の形態などのモバイル演算プロセッサであってもよい。ポッドプロセッサ２８１は、図１のモバイルプロセッサ１０６よりも小さなフットプリントを有するように設計されてもよく、且つ、異なる機能を含んでもよい。
【００６４】
メモリ２８３は、ＲＡＭ又はその他の揮発性又は不揮発性メモリ、一時的ではないメモリ、又は、ハードディスクドライブ、半導体ディスクドライブ、ハイブリッドディスクドライブ、又はその他の適切なデータストレージなどのデータストレージ装置のうちの１つであるか又はこれらの任意の組合せてあってもよく、且つ、機械可読命令を更に保存してもよく、これらの機械可読命令は、メモリ２８３に読み込まれてもよく、且つ、ポッドプロセッサ２８１によって実行されてもよい。
【００６５】
ポッドプロセッサ２８１及びメモリ２８３は、協働し、振動ユニット１１２の機能を制御するべく、データを図１のモバイルプロセッサ１０６と振動ユニット１１２の間において変換してもよい。例えば、ポッドプロセッサ２８１は、一秒間にわたって振動を生成するための命令などの相対的にハイレベルな命令を図１のモバイルプロセッサ１０６から受け取ってもよい。ポッドプロセッサ２８１は、ハイレベルな命令を、振動ユニット１１２を制御するべく使用可能な機械コードなどの低レベルなコードに変換してもよい。この例を継続すれば、次いで、ポッドプロセッサ２８１は、振動ユニット１１２が一秒間にわたって振動するようにするべく、低レベルなコードを使用して振動ユニット１１２を制御してもよい。
【００６６】
次に、図３Ｂ及び図３Ｃを参照すれば、カメラポッド１３０は、振動ポッドの遠位コネクタ２８６とは異なる遠位コネクタ２９０を有してもよい。遠位コネクタ２９０は、ポッドの相対的な回動を許容している特徴を除いて、コネクタ２８６の特徴のすべてを含んでもよい。ネットワーク通信ポッド１４０は、振動ポッド１１０の近位コネクタ２８５の特徴のすべてを含む近位コネクタ２９１を含んでもよい。この点において、カメラポッド１３０のレセプタクル２９２は、ネットワーク通信ポッド１４０のコネクタ２９１のプラグ２９５のピン２９３を受け入れるソケット２９４を含み、これにより、カメラポッド１３０とネットワーク通信ポッド１４０の間における電気的通信を許容してもよい。
【００６７】
いくつかの実施形態においては、ポッドのすべてが、回動自在のコネクタを含んでおり、いくつかの実施形態においては、ポッドのいくつかが、回動自在のコネクタを含んでおり、且つ、いくつかの実施形態においては、ポッドは、そのいずれもが、回動自在のコネクタを含んでいない。いくつかの実施形態においては、プラグのそれぞれは、レセプタクルのうちの任意のレセプタクルに接続することが可能であり、且つ、この逆も又真である。この結果、ユーザーは、それぞれのポッドの場所を判定することができる。
【００６８】
振動ポッド１１０と同様に、カメラポッド１３０も、ポッドプロセッサ１３３を含んでいる。振動ポッド１１０とは異なり、カメラポッド１３０は、メモリを含んでいない。この点において、ポッドプロセッサ１３３は、内部メモリを有してもよく、１つ又は複数の特定のタスクを実行するように設計されたハードウェアを有してもよく、或いは、図１のメモリ１０８からの命令にアクセスしてもよい。
【００６９】
ポッドプロセッサ１３３は、電力ライン２９６から電力信号を受信してもよく、且つ／又は、データライン２９７からデータ信号を受信してもよい。カメラ１３２も、電力ライン２９６から電力信号を受信してもよいが、データライン２９７に結合されていなくてもよい。代わりに、ポッドプロセッサ１３３が、カメラの動作を制御してもよく、且つ／又は、カメラ１３２から、検出された画像データを受信してもよい。振動ポッド１１０と同様に、ポッドプロセッサ１３３も、カメラポッド１３０内における電力信号の送信を調節してもよく、或いは、そうでなくてもよい。
【００７０】
ネットワーク通信ポッド１４０の電力ライン２９８及びデータライン２９９は、遠位コネクタ２９０及びコネクタ２９１を介して、カメラポッド１３０の電力ライン２９６及びデータライン２９７に接続されている。データ及び電力信号は、カメラポッド１３０の電力ライン２９６及びデータライン２９７と類似した方式により、ネットワーク通信ポッド１４０を通過してもよい。又、ネットワークアクセス装置１４２は、電力ライン２９８に結合されてもよく、且つ、これを通じて電力を受け取ってもよく、且つ、データライン２９９に結合されてもよく、且つ、これを介してデータを送受信してもよい。
【００７１】
当業者は、本開示の範囲を逸脱することなしに、ポッドの間の様々な接続を使用できることを認識するであろう。いくつかの実施形態においては、ポッドの間の接続は、機械的及び電気的な接続を含んでおり、且つ、隣接するポッドが相互の関係において回動又は回転することを許容するための特徴を含んでもよく、或いは、そうでなくてもよい。
【００７２】
次に、図４Ａ〜図４Ｄを参照すれば、ポッドの間における例示用の代替コネクタが示されている。まず、図４Ａを参照すれば、カメラポッド４００は、外側ケーシング４０１と、外側ケーシング４０１に結合されたカメラ４０２と、を有してもよい。外側ケーシング４０１は、第１剛性部分４０４と、第２剛性部分４０７と、これらの間の曲がりやすい部分４０６と、を含んでもよい。カメラ４０２は、第１剛性部分４０４に結合されてもよい。第２剛性部分４０７は、スナップコネクタなどのコネクタのレセプタクル４０８を定義してもよい。この点において、レセプタクル４０８は、カメラポッド４００を別のポッドに物理的に且つ／又は電気的に結合するべく、使用されてもよい。
【００７３】
曲がりやすい部分４０６は、第２剛性部分４０７が第１剛性部分４０４との関係において運動できるようにするゴム又は別の曲がりやすい材料を含んでもよい。この点において、レセプタクル４０８に結合されたポッドは、第１剛性部分４０４との関係において回転及び／又は回動してもよい。ワイヤ又はケーブル４１０は、レセプタクル４０８とカメラ４０２に結合されてもよく、且つ、曲がりやすい部分４０６を通じて延在してもよい。この点において、別のポッドは、レセプタクル４０８及びワイヤ及びケーブル４１０を介してカメラ４０２と通信することができる。
【００７４】
図４Ｂを参照すれば、カメラポッド４１２は、処理ポッド４１４に接続するように設計されてもよい。カメラポッド４１２は、カメラ４１６を含み、且つ、処理ポッド４１４は、プロセッサ４１８を含む。カメラポッド４１２は、下方に、且つ、カメラ４１６から離れるように、延在する延長部４２０を定義する外側ケーシング３１３を含む。延長部４２０は、機械的ソケット４２２を更に定義している。又、カメラポッド４１２は、外側ケーシング４１３に結合された電気的レセプタクル４２４をも含む。
【００７５】
又、処理ポッド４１４は、上向きに、且つ、プロセッサ４１８から離れるように、延在する延長部４２６をも含む。機械的プラグ４２８が、延長部４２６から垂直に延在しており、且つ、ニップル４３０を含む。機械的プラグ４２８は、機械的ソケット４２２と結合するように設計されている。この点において、ニップル４３０は、機械的ソケット４２２内において、特徴によって受け入れられることにより、機械的プラグ４２８及び機械的ソケット４２２を機械的に結合することができる。このようにして結合された際に、処理ポッド４１４は、カメラポッド４１２との関係において回動することができる。
【００７６】
又、処理ポッド４１４は、曲がりやすいストラップ４３４によって外側ケーシング４１５に接続された電気的プラグ４３２をも含む。曲がりやすいストラップ４３４は、ゴムなどの曲がりやすい材料と、これを通じて延在すると共に電気信号を転送するワイヤ又はケーブルと、を含んでもよい。電気的プラグ４３２は、電気的レセプタクル４２４と結合するように設計されている。この点において、この電気的接続は、データがカメラポッド４１２と処理ポッド４１４の間において転送されることを許容する。曲がりやすいストラップ４３４は、処理ポッド４１４が、電気的接続を妨げることなしに、カメラポッド４１２との関係において回動することを許容している。電気的プラグ４３２及び電気的レセプタクル４２４は、ポッドの側部において位置決めされているが、電気的コネクタは、ポッドの前面、背面、上部、下部、及びその他の側部上において配置することができる。
【００７７】
次に図４Ｃを参照すれば、カメラポッド４４０及び処理ポッド４４２は、互いに結合するように設計されている。カメラポッド４４０及び処理ポッド４４２は、矩形形状の代わりに円筒形形状をそれぞれが有する外側ケーシング４４１及び４４３を有する。カメラポッド４４０は、カメラ４４４を含み、且つ、処理ポッド４４２は、プロセッサ４４６を含む。
【００７８】
カメラポッド４４０の外側ケーシング４４１は、ボールソケット４４８を定義しており、且つ、電気的ソケット４５０を含む。処理ポッド４４２の外側ケーシングは、ボール４５２を定義しており、且つ、電気的プラグ４５４に結合されている。ボール４５２は、ボールソケット４４８によって受け入れられることにより、カメラポッド４４０と処理ポッド４４２を機械的に結合するように設計されている。結合された際に、ボールソケット４４８及びボール４５２は、処理ポッド４４２がカメラポッド４４０との関係において回動及び／又は回転することを許容する。
【００７９】
電気的プラグ４５４は、電気ソケット４５０と結合することにより、カメラポッド４４０と処理ポッド４４２を電気的に結合するように構成されている。電気的プラグ４５４は、処理ポッド４４２がカメラポッド４４０との関係において運動した際に、電気的接続が妨げられない状態において留まることを許容する曲がりやすいストラップ４５６を介して処理ポッド４４２の外側ケーシング４４３に結合されている。
【００８０】
次に図４Ｄを参照すれば、カメラポッド４６０は、処理ポッド４６２と結合するように構成されている。カメラポッド４６０は、カメラ４６４を含み、且つ、処理ポッド４６２は、プロセッサ４６６を含む。カメラポッド４６０は、第１剛性部分４７０と、第２剛性部分４７４と、これらの間の曲がりやすい部分４７２と、を有する外側ケーシング４６８を含み、これにより、第１剛性部分４７０が第２剛性部分４７４との関係において回転及び／又は回動することを許容している。第２剛性部分は、第１磁石４７６と、第２磁石４７８と、電気的レセプタクル４８０と、を含む。
【００８１】
処理ポッド４６２は、外側ケーシング４６３と、これに結合された第１磁石４８２及び第２磁石４８４と、を含む。又、外側ケーシング４６３は、電気的プラグ４８６をも含むと共に／又は定義している。処理ポッド４６２は、電気的プラグ４８６を電気的レセプタクル４８０に挿入し、且つ、第１磁石４７６、４８２を第２磁石４７８、４８４とアライメントさせることにより、カメラポッド４６０に接続することができる。アライメントされると共に相対的に互いに近接した際に、それぞれのポッドの磁石は、吸引することにより、これらのポッドを１つに結合する。電気信号は、接続された際に、電気的プラグ４８６及び電気的レセプタクル４８０を介してポッドの間において転送することが可能であり、且つ、曲がりやすい部分４７２の曲がりやすさは、処理ポッド４６２がカメラポッド４６０の外側ケーシング４６８の第１剛性部分４７０との関係において回動及び／又は回転することを許容している。
【００８２】
次に図５を参照すれば、図１のメインユニット１０２のモバイルプロセッサ１０６又は図２のメインユニット３０２のプロセッサ３０６などのメインユニットのプロセッサによってモジュラー型スマートネックレスを制御する方法５００は、モジュラー型スマートネックレスがターンオンされた際に、ブロック５０２において始まっている。ブロック５０４において、プロセッサは、すべての接続されたポッドの能力を判定してもよく、且つ、識別子を接続されたポッドのそれぞれに対して割り当ててもよい。識別子は、命令を適切なポッドに送信するべく、プロセッサによって使用されてもよい。
【００８３】
ブロック５０５において、プロセッサは、生体計測セキュリティポッドが、認可された生体計測値に対応した生体計測値を受け取ったかどうかを判定するべく、生体計測セキュリティポッドと通信してもよい。ブロック５０６において、プロセッサは、受け取った生体計測値が、メモリ内の認可された生体計測とマッチングしているかどうかを判定してもよい。
【００８４】
マッチングが見出された場合には、プロセッサは、モジュラー型スマートネックレスの使用を許容してもよい。ブロック５０７において、プロセッサは、入力ポッドがモジュラー型スマートネックレスに装着されているかどうかを判定してもよい。入力ポッドが装着されていない場合には、プロセッサは、５０８において、メインユニットから入力を受け取ってもよい。入力ポッドが装着されている場合には、プロセッサは、５０９において、メインユニット及び／又は入力ポッドから、入力を受け取ってもよい。いくつかの実施形態においては、プロセッサは、例えば、メモリ内において保存されている命令に基づいてなどのように、ユーザー入力を伴うことなしに、機能を実行してもよい。
【００８５】
ブロック５１０において、プロセッサは、入力ポッドから入力を受け取ってもよく、且つ／又は、メモリ内において保存されている命令に基づいて機能してもよい。入力／命令に基づいて、プロセッサは、ナビゲーション命令の提供、リモート装置との通信、又はこれらに類似したものなどの実行するべき機能を判定してもよい。
【００８６】
ブロック５１２において、プロセッサは、機能を実行するために、どのようなデータが必要とされ、且つ、どのようなデータが望ましいのかを判定してもよい。例えば、機能がナビゲーションである場合には、プロセッサは、場所データを必要とする場合があり、且つ、画像データ及び加速度データを所望する場合がある。ブロック５１４において、プロセッサは、データを提供するために、いずれの接続されたポッドを使用しうるかを判定してもよい。例えば、ＧＰＳポッドは、場所データを提供することが可能であり、カメラポッドは、画像データを提供するべく使用することが可能であり、且つ、加速度計ポッドは、加速度データを提供するべく使用することができる。ブロック５１６において、必要とされているポッドが利用可能ではない場合には、プロセッサは、ブロック５１８において、望ましい機能を実行するために更なるポッドが必要とされていることを通知するデータを出力するように、出力ポッドに命令する。
【００８７】
ブロック５２０において、プロセッサは、任意の必要とされると共に望ましいデータを検出及び／又は要求するように、ポッドのコンポーネントを制御してもよい。５２２において、プロセッサは、出力データを判定するべく、検出されたデータを受け取ってもよく、且つ、データを処理してもよい。例えば、出力データは、ナビゲーション命令を含んでもよい。
【００８８】
５２４において、プロセッサは、出力データを出力するべく、いずれの接続されたポッドを使用しうるか、並びに、いずれのポッドが好ましいか、を判定してもよい。５２６において、出力データを出力するべく、十分なポッドが利用可能ではない場合には、プロセッサは、ブロック５１８において、データを出力するために更なるポッドが必要とされていることを示すデータを出力するべく試みてもよい。ブロック５２８において、プロセッサは、出力データを出力するように、出力ポッドのコンポーネントを制御してもよい。
【００８９】
次に図６を参照すれば、モジュラー型スマートネックレスのメインユニット及び様々なポッドのそれぞれは、別個に販売されてもよく、或いは、キットとして販売されてもよい。キットのそれぞれは、メインユニットを含んでいてもよく、或いは、そうでなくてもよい。例えば、キットは、メインユニット及びポッドの集合体を有する状態において販売されてもよく、且つ、別のキットは、メインユニットなしに、ポッドの集合体を有する状態において販売されてもよい。キットのそれぞれは、特定の目的に適したポッドを含んでもよい。いくつかの実施形態においては、キットのそれぞれは、ポッド及び／又はキット固有の機能を実行するためにメインユニットのモバイルプロセッサ上に読み込まれるソフトウェアと、ポッド／キット固有の機能を実行する際に使用されるデータと、を含んでいてもよい。いくつかの実施形態においては、ポッドのそれぞれは、ポッド固有の且つ／又はキット固有の機能を実行するべく、ポッドプロセッサ又はメモリ上に読み込まれると共に／又は、モバイルプロセッサ上に読み込まれるソフトウェアを含んでもよい。
【００９０】
チャート６００は、キットの名前及び目的を含む様々なキットと、キット内に含まれる標準的ポッドと、キットと共に含まれていてもよく、又は含まれていなくてもよい任意選択のポッドと、を示している。キットのそれぞれは、含まれているポッドのすべてを含んでもよい。いくつかのキットは、任意選択のポッドのいずれをも含まなくてもよく、いくつかのキットは、任意選択のポッドのいくつかを含んでもよく、且つ、いくつかのキットは、任意選択のポッドのすべてを含んでもよい。キットは、チャート６００によって示されている包含され且つ任意選択であるポッドに限定されるものではない。
【００９１】
エクササイズキットは、加速度計ポッドと、健康ポッドと、運動ポッドと、を含んでもよい。加速度計ポッドは、モジュラー型スマートネックレスの加速度を検出してもよい。この情報は、移動した距離、燃焼されたエネルギーの推定値、速度、又はユーザーのトレーニングに関する定量的統計値を提供するべく使用されうるその他の情報を判定するべく、プロセッサとの関連において使用することができる。健康ポッドは、心拍数センサ及び／又は呼吸数センサを含んでもよい。心拍数センサ／呼吸数センサは、ユーザーがエクササイズを実行している最中にユーザーの健康計測値を検出するべく使用されてもよい。これは、ユーザーが望ましい心拍数及び／又は呼吸数を実現することを支援することが可能であり、ユーザーの現時点の心拍数及び／又は呼吸数についてユーザーに通知することが可能であり、且つ／又は、ユーザーが危険な呼吸数／心拍数に接近しているかどうかを判定するべく、プロセッサによって使用されうることから、ユーザーにとって有用であろう。運動ポッドは、ユーザーのエクササイズによって生成された運動エネルギーを収集しうる運動−電力変換器を含んでもよい。
【００９２】
エクササイズキットは、任意選択により、緊急事態表示ポッドを含んでもよい。これは、ユーザーが健康に問題を有する場合に、望ましいであろう。例えば、心臓の問題の履歴を有する高齢者は、意識不明状態になった場合に自身の健康情報が利用可能となるように、緊急事態表示ポッドを使用してもよい。
【００９３】
ナビゲーションキットは、カメラポッドと、加速度計ポッドと、ＧＰＳポッドと、出力ポッドと、を含んでもよい。カメラポッドは、モジュラー型スマートネックレスの周囲の環境に対応した画像データを検出するべく使用することが可能であり、加速度計ポッドは、モジュラー型スマートネックレスの加速度に対応した加速度データを検出するべく使用することが可能であり、且つ、ＧＰＳポッドは、モジュラー型スマートネックレスの場所に対応した場所情報を検出するべく使用することができる。出力ポッドは、１つ又は複数のスピーカ、振動ユニット、及び／又はディスプレイを含んでもよく、且つ、メインユニットが、振動ユニット又はスピーカなどの出力コンポーネントを含む場合には、任意選択であってもよい。
【００９４】
メインユニットのプロセッサは、画像データ、加速度データ、及び場所データを受け取ってもよく、且つ、ナビゲーション命令を提供するべく、このデータを使用してもよい。画像データ及び加速度データの使用により、特に、屋内環境及び歩行方向の場合に、ＧＰＳユニットのみの使用よりも正確なナビゲーション命令が実現される。
【００９５】
ナビゲーションキットは、任意選択により、モジュラー型スマートネックレスがナビゲーションを完了させるために十分な電力を有することを保証するべく、余分な電力を保存するための電池ポッドを含んでもよい。又、ナビゲーションキットは、任意選択により、ユーザーが、健康上の懸念を有するか、或いは、危険な又は不健康なエリア内において移動しているケースにおいて、緊急事態情報を表示するための緊急事態表示ポッドを含んでもよい。又、ナビゲーションキットは、任意選択により、ユーザーが迷子になるか又はルートを見出すことができない場合に、支援のためにユーザーが供給源にコンタクトしうるように、テレプレゼンスポッドを含んでもよい。
【００９６】
視覚障害を有する人物によって使用される盲人キットは、カメラポッドと、加速度計ポッドと、出力ポッドと、テレプレゼンスポッドと、任意選択により、入力ポッド及び点字ポッドと、を含むことができる。カメラポッドは、ユーザーの環境に関する画像データが検出されることを許容し、且つ、加速度計ポッドは、ユーザーの加速度を検出することができる。関連して使用されている状態において、画像データ及び加速度データは、ユーザーの環境及び環境との関係におけるユーザーの場所を検出するべく、使用することができる。又、画像データは、ユーザーの環境内の物体を識別するべく使用することもできる。次いで、モバイルプロセッサは、出力ポッドを使用して環境に関する情報をユーザーに提供することができる。テレプレゼンスポッドは、ユーザーが道に迷うか又は支援を必要としている場合に、ユーザーが供給源と通信することを許容する。入力ポッドは、視力を伴うことなしに使用することが相対的に容易でありうる専門的な形態の入力を提供することができる。例えば、入力ポッドは、ユーザーが、感覚のみに基づいて、いずれのボタンを自身が選択しているのかを判定しうるように、異なる形状をそれぞれが有する複数のボタンを含んでもよい。点字ポッドは、ユーザーによるテキストの判読を許容する。例えば、テキストの画像データは、メインユニットのプロセッサによって受信することが可能であり、且つ、点字ポッドを使用して出力されるべく、点字データに変換することができる。
【００９７】
スポーツイベントキットは、カメラポッドと、レコーダポッドと、ネットワーク通信ポッドと、出力ポッドと、任意選択により、ＵＳＢポッドと、を含むことができる。カメラポッドは、スポーツイベントの特定のセグメント又は「プレイ」を記録するべく、レコーダポッドとの関連において使用することができる。次いで、ユーザーは、表示出力ポッドを使用して記録済みの画像を即座に再視聴することも可能であり、且つ／又は、記録済みのデータを任意選択のＵＳＢポッドを介して転送することにより、別の装置から、記録済みの画像データを視聴することもできる。ネットワーク通信ポッドは、ユーザーが、自身が出席していない任意の同時進行中のスポーツイベントのブロードキャスト又はウェブキャストを受信することを許容することができる。
【００９８】
警察使用キットは、第３コネクタを有するメインユニットと、２つのカメラポッドと、レコーダポッドと、出力ポッドと、を含んでもよい。カメラポッドのうちの一方は、警察官の背後のエリアに対応した画像データを検出するべく、メインユニットの第３コネクタに接続することができる。従って、出力ポッドは、未知の物体又は人物が背後から警察官に接近している場合に、警察官に警告することができる。他方のカメラポッドは、警察官から前方に向かって対向していてもよく、且つ、警察官と一般市民の間のやり取りに対応した画像データを検出及び記録するべく、レコードポッドとの関連において使用することができる。
【００９９】
警察使用キットは、任意選択により、警察官による事故の報告、バックアップの呼び出し、派遣メッセージの受領、又はこれらに類似した内容を実行できるようにするべく、ネットワーク通信ポッドを含んでもよい。又、このキットは、モジュラー型スマートネックレスが、警察官のシフトの全体を通じて動作可能となるために十分な電力を有することを保証するべく、電池ポッドを含んでもよい。又、このキットは、派遣命令において提供された場所などの所望の場所まで警察官をナビゲートするべく、モバイルプロセッサとの関連において使用されるＧＰＳポッドを含むこともできる。
【０１００】
以上、方法／システムの例示用の実施形態について、例示用のスタイルにおいて開示した。従って、全体を通じて利用されている用語は、非限定的な方式によって判読することを要する。当業者には、本明細書における教示内容に対する多少の変更が想起されることになろうが、本出願に対して付与される特許の範囲には、本発明によって寄与される当技術分野に対する進歩の範囲に合理的に含まれるすべての実施形態が含まれることが意図されており、且つ、この範囲は、添付の請求項及びその均等物の観点におけるものを除いて、限定されるものではないことを理解されたい。
【図１】
2017063407.tif 000003
【図２】
2017063407.tif 000004
【図３Ａ】
2017063407.tif 000005
【図３Ｂ】
2017063407.tif 000006
【図３Ｃ】
2017063407.tif 000007
【図４Ａ】
2017063407.tif 000008
【図４Ｂ】
2017063407.tif 000009
【図４Ｃ】
2017063407.tif 000010
【図４Ｄ】
2017063407.tif 000011
【図５】
2017063407.tif 000012
【図６】
2017063407.tif 000013
【外国語明細書】
2017063407000001.pdf